(57)【要約】【課題】洗浄槽に洗浄水を供給する場合に、洗浄槽外への漏水の発生を抑制することができる食器洗浄機を提供する。【解決手段】食器洗浄機１０は、前面に開口部１４を有する本体１２と、上方に食器収容口を有し、本体１２に収容され、開口部１４を通って前後方向にスライド可能に本体１２に保持されている洗浄槽２０と、洗浄槽２０内に洗浄水を供給する給水機構４０とを備える。給水機構４０は、本体１２に備えられ、給水管４２に接続されている給水電磁弁４４と、本体１２に備えられ、給水電磁弁４４に接続されており、吐出口７２を有する給水ノズル４６とを有している。洗浄槽２０の後方壁２８には挿通孔３０が形成されており、洗浄槽２０を本体１２に収容した際に、給水ノズル４６が挿通孔３０から洗浄槽２０内に挿入され、吐出口７２が洗浄槽２０の内部空間に露出する。【選択図】  図１
2014133013.tif 000002
【特許請求の範囲】
【請求項１】
前面に開口部を有する本体と、
上方に食器収容口を有し、本体に収容され、開口部を通って前後方向にスライド可能に本体に保持されている洗浄槽と、
洗浄槽内に洗浄水を供給する給水機構と、を備え、
給水機構は、
本体に備えられ、給水管に接続されている給水弁と、
本体に備えられ、給水弁に接続されており、開口部を有する給水ノズルと、を有しており、
洗浄槽の側壁には、挿通孔が形成されており、
洗浄槽を本体に収容した際に、給水ノズルが挿通孔から洗浄槽内に挿入されるとともに、開口部が洗浄槽の内部空間に露出する、
食器洗浄機。
【請求項２】
洗浄槽を本体に収容した際に、洗浄槽の側壁の外側であって、挿通孔の下方の位置に配置され、挿通孔から洗浄槽外に漏出する洗浄水を収容する水受け部をさらに備える、
請求項１に記載の食器洗浄機。
【請求項３】
水受け部は、洗浄槽を本体に収容した際に洗浄槽内と連通するとともに、その内部に、洗浄槽内に所定量より多い洗浄水が供給されていることを検知するセンサを備える、
請求項２に記載の食器洗浄機。
【請求項４】
水受け部は、洗浄槽を本体に収容した際に洗浄槽内と連通するとともに、水受け部内に収容された洗浄水を水受け部外に排出するための排水孔を有する、
請求項２又は３に記載の食器洗浄機。
【発明の詳細な説明】
【技術分野】
【０００１】
本明細書で開示する技術は、食器洗浄機に関する。
【背景技術】
【０００２】
特許文献１には、前面に開口部を有する本体と、食器を収容するとともに本体に収容され、前後方向にスライド可能な洗浄槽と、洗浄槽に洗浄水を供給する給水機構を備える食器洗浄機が開示されている。給水機構は、本体に備えられ、給水管に接続されている給水弁と、給水弁に接続された本体側給水連結具と、洗浄槽に連通する洗浄槽側給水連結具とで構成されている。洗浄槽を収容すると、本体側給水連結具と洗浄槽側給水連結具とが洗浄槽の外側で連結する。本体側給水連結具と洗浄槽側給水連結具との連結部分には給水止水パッキンが設けられている。
【先行技術文献】
【特許文献】
【０００３】
【特許文献１】特開２００９−２４７４５５号公報
【発明の概要】
【発明が解決しようとする課題】
【０００４】
特許文献１の食器洗浄機では、洗浄槽に洗浄水を供給する場合に、本体側給水連結具と洗浄槽側給水連結具との連結部分に水圧がかかり、連結部分から洗浄槽外に水が漏れるおそれがある。
【０００５】
本明細書では、洗浄槽に洗浄水を供給する場合に、洗浄槽外への漏水の発生を抑制することができる食器洗浄機を提供する。
【課題を解決するための手段】
【０００６】
本明細書が開示する食器洗浄機は、前面に開口部を有する本体と、上方に食器収容口を有し、本体に収容され、開口部を通って前後方向にスライド可能に本体に保持されている洗浄槽と、洗浄槽内に洗浄水を供給する給水機構と、を備える。給水機構は、本体に備えられ、給水管に接続されている給水弁と、本体に備えられ、給水弁に接続されており、開口部を有する給水ノズルと、を有している。洗浄槽の側壁には、挿通孔が形成されており、洗浄槽を本体に収容した際に、給水ノズルが挿通孔から洗浄槽内に挿入されるとともに、開口部が洗浄槽の内部空間に露出する。
【０００７】
上記の食器洗浄機では、洗浄槽を本体に収容した際に、開口部を有する給水ノズルが挿通孔から洗浄槽内に挿入され、その開口部が洗浄槽の内部空間に露出する。即ち、洗浄槽の外側に、給水時に水圧がかかる連結部分が存在しない。そのため、洗浄槽内に洗浄水を供給する場合に、洗浄槽外への漏水の発生を抑制することができる。
【図面の簡単な説明】
【０００８】
【図１】第１実施例の食器洗浄機１０の断面模式図。
【図２】洗浄槽２０を引出した様子の断面模式図。
【図３】給水ノズル４６周辺部の拡大断面図。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  洗浄槽を本体に収容した際に、洗浄槽の側壁の外側であって、挿通孔の下方の位置に配置され、挿通孔から洗浄槽外に漏出する洗浄水を収容する水受け部をさらに備えてもよい。この構成によると、もし挿通孔から洗浄槽外に洗浄水が漏出したとしても、漏出した洗浄水を水受け部によって収容し、本体内部が洗浄水で濡れることを抑制することができる。
【００１１】
（特徴２）  水受け部は、洗浄槽を本体に収容した際に洗浄槽内と連通するとともに、その内部に、洗浄槽内に所定量より多い洗浄水が供給されていることを検知するセンサを備えていてもよい。この構成によると、洗浄槽内に所定量より多い洗浄水が供給されていることを検出し、検出結果に応じて適切な運転を実行することができる。
【００１２】
（特徴３）  水受け部は、洗浄槽を本体に収容した際に洗浄槽内と連通するとともに、水受け部内に収容された洗浄水を水受け部外に排出するための排水孔を有していてもよい。この構成によると、仮に、洗浄槽内に所定量より多い洗浄水が供給され、水受け部内に洗浄水が収容される場合であっても、排水孔の位置からのみ水受け部内の洗浄水が排出される。即ち、洗浄水が本体内に漏れる経路を予め定めることができるため、本体内の他の部材への影響を最小限に留め得る。
【００１３】
（実施例）
図１に示すように、本実施例の食器洗浄機１０は、引き出し式の食器洗浄機である。食器洗浄機１０は、本体１２と、洗浄槽２０とを備える。
【００１４】
本体１２は、システムキッチンに取り付け可能に構成されており、前面（図１の左側の面）に開口部１４を有する筐体である。本体１２の内部空間１６には、洗浄槽２０を収容可能である。本体１２は、スライド機構１８、蓋１９、及び、給水機構４０を有している。スライド機構１８は、図１及び図２に示すように、内部空間１６に収容された洗浄槽２０を水平方向（紙面左右方向）に移動させることができる機構である。蓋１９は、洗浄槽２０の上面開口部を封止するための蓋である。蓋１９は、本体１２の内部空間１６の上方に備えられており、図示しない昇降機構に接続されている。
【００１５】
給水機構４０は、洗浄槽２０内に洗浄水を供給する機構である。図３に示すように、給水機構４０は、給水管４２と、給水電磁弁４４と、給水ノズル４６と、を有する。給水管４２は、その一端が本体１２の後方壁１２ａを挿通して本体１２内に導入され、給水電磁弁４４に接続されている。給水電磁弁４４は、内蔵するソレノイドに駆動されて開閉する。給水ノズル４６は、略管状の部材であり、内部に洗浄水を流す流路７０を有している。給水ノズル４６の後端部（図３の右側端部）は、給水電磁弁４４に接続されている。給水ノズル４６の先端部（図３の左側端部）付近には、洗浄水を吐出するための吐出口７２が形成されている。吐出口７２は、下向きに形成されている。給水ノズル４６の先端には、吐出口７２から洗浄水を下向きに吐出させるための壁部７４が備えられている。給水電磁弁４４が開かれると、給水ノズル４６の流路７０に洗浄水が供給される。供給された水は、吐出口７２から吐出され、洗浄槽２０内に供給される。一方、給水電磁弁４４が閉じられると、給水ノズル４６の流路７０に洗浄水が供給されない状態となる。また、給水ノズル４６の外周面には、後述する洗浄槽２０の挿通孔３０の内壁面に密着するパッキン７６が設けられている。
【００１６】
図１に示すように、洗浄槽２０は、本体１２の内部空間１６に収容されている。図１及び図２に示すように、洗浄槽２０は、上記のスライド機構１８に沿って、開口部１４を通って前後方向（図１の左右方向）にスライド可能である。洗浄槽２０は、扉２１に連結されている。図２に示すように、扉２１を前方（図１の左方向）へ引き出すと、扉２１とともに洗浄槽２０が引き出される。また、図１に示すように、扉２１を後方（図１の右方向）へ押し込むと、洗浄槽２０が本体１２の内部空間１６に収容される。なお、以下では、図１に示す状態を、洗浄槽２０が本体１２に収容された状態と呼び、図２に示す状態を、洗浄槽２０が本体１２から引き出された状態と呼ぶ場合がある。
【００１７】
洗浄槽２０は、上面が開放された箱状に形成されている。洗浄槽２０には、洗浄ノズル２４及び食器かご２５が収容されている。洗浄ノズル２４には、複数の噴射口２６が形成されている。食器かご２５は、種々の食器を所持するために、食器に対応した形状に形成されている。
【００１８】
図１に示すように、扉２１が閉じられて、洗浄槽２０が本体１２に収容された状態では、本体１２内に設けられた蓋１９は図示しない昇降機構によって降下させられている。この際、蓋１９は、洗浄槽２０の上面開口部に密着し、洗浄槽２０の上面開口部を封止する。一方、図２に示すように、洗浄槽２０が本体１２から引き出された状態では、蓋１９は、洗浄槽２０のスライド移動を妨げない位置まで上昇している。
【００１９】
洗浄槽２０の底部には、吸込凹部２２が形成されている。吸込凹部２２の上側開口部は、残菜フィルタ３２によって覆われている。残菜フィルタ３２は、食器類から取り除かれた残菜が洗浄槽２０の吸込凹部２２に侵入するのを防止する。洗浄槽２０の下方には、ポンプ３５が設けられている。ポンプ３５は、内蔵する電気モータによってインペラ３４を回転する。ポンプ３５は、インペラ３４を一方向に回転することもできるし、その逆の方向に回転することもできる。インペラ３４が配置されている空間と吸込凹部２２は、吸込流路３３によって連通されている。また、洗浄槽２０の底部付近には、電気式のヒータ３７も装着されている。ヒータ３７は、洗浄工程中に動作して食器を洗うための洗浄水を加熱したり、乾燥工程中に動作して洗浄槽２０内を加熱する。
【００２０】
洗浄槽２０の底部には、上記の洗浄ノズル２４が回転可能に取り付けられている。洗浄ノズル２４は、ポンプ３５と連通している。インペラ３４を一方向に回転することで、洗浄槽２０内に供給された洗浄水を洗浄ノズル２４に供給することができる。洗浄ノズル２４に形成されている複数の噴射口２６の一部の噴射口は、水を噴射したときに、洗浄ノズル２４に回転モーメントを発生させる。
【００２１】
ポンプ３５は、排水管３６にも接続されている。排水管３６は、本体１２の後方壁１２ａを挿通して本体１２の外部に引き出されている。インペラ３４を、洗浄ノズル２４に洗浄水を供給する場合とは逆方向に回転することで、吸込流路３３を通して洗浄槽２０の吸込凹部２２から水を吸込み、排水管３６を介して外部に排水する。このように、ポンプ３５は、洗浄ノズル２４に洗浄水を供給する給水ポンプと、排水管３６を介して外部に排水する排水ポンプの両方の役割を担っている。
【００２２】
洗浄槽２０の後方壁２８には、挿通孔３０が形成されている。図１及び図３に示すように、洗浄槽２０を本体１２内に収容すると、上記の給水ノズル４６の先端が、挿通孔３０を通って洗浄槽２０内に挿入される。図３に示すように、洗浄槽２０を本体１２内に収容した際、給水ノズル４６の先端は洗浄槽２０内に完全に挿入される。この際、吐出口７２が洗浄槽２０内に配置される。即ち、吐出口７２は、洗浄槽２０の内部空間に露出する。この状態で給水電磁弁４４を開くと、給水ノズル４６の吐出口７２から洗浄槽２０内に洗浄水が供給される。本実施例の構成によると、洗浄槽２０の外側に、給水時に水圧がかかる連結部分が存在しない。そのため、洗浄槽２０内に洗浄水を供給する場合に、洗浄槽２０外への漏水の発生を抑制することができる。一方、図２に示すように、洗浄槽２０が本体１２から引き出されると、上記の給水ノズル４６の先端は、洗浄槽２０（挿通孔３０）から引き抜かれる。
【００２３】
なお、上記の通り、給水ノズル４６の先端が挿通孔３０を通って洗浄槽２０内に挿入される場合、図３に示すように、給水ノズル４６に設けられたパッキン７６が、挿通孔３０の内壁面に密着する。これにより、挿通孔３０と給水ノズル４６の間の隙間が封止され、挿通孔３０部分から洗浄槽２０外へ洗浄水が漏れることを抑制している。
【００２４】
また、図３に示すように、洗浄槽２０の後方壁２８の外側であって、上記挿通孔３０の下方の位置には、水受け部５０が設けられている。本実施例では、水受け部５０は、洗浄槽２０の後方壁２８の外側に固定されている。水受け部５０は、上面開口の箱状に形成されている。水受け部５０は、挿通孔３０から洗浄槽２０外に漏出する洗浄水を収容する。そのため、仮に挿通孔３０から洗浄槽２０外に洗浄水が漏出したとしても、漏出した水を水受け部５０によって収容し、本体１２内部が洗浄水で濡れることを抑制することができる。
【００２５】
また、洗浄槽２０の後方壁２８の外側であって、上記挿通孔３０の下方の位置には、水受け部５０の内部と連通する連通孔５２が形成されている。連通孔５２は、洗浄槽２０内の、所定の許容水位以上の位置に形成されている。即ち、洗浄槽２０内に供給される洗浄水が、所定の許容水位以上の高さにまで供給された場合、洗浄槽２０内の洗浄水が、連通孔５２を通って水受け部５０内に流入する。ここで、所定の許容水位とは、予め定められた水位であり、洗浄運転に適した水位より高い水位である。通常、洗浄槽２０内に、許容水位を超える水位の洗浄水が供給されている場合は、洗浄運転には適さない。以下では、洗浄槽２０内に許容水位を超える水位の洗浄水が供給されている状態を「溢水状態」と呼ぶ場合がある。
【００２６】
また、水受け部５０の内部には、洗浄槽２０内に所定の許容水位を超える水位の洗浄水が供給されたことを検出するための溢水センサ５４が設けられている。溢水センサ５４は、連通孔５２より高い位置に設けられている。本実施例では、洗浄槽２０が溢水状態になると、連通孔５２から水受け部５０内に洗浄水が供給される。水受け部５０内に供給された洗浄水の水位が溢水センサ５４の位置にまで達すると、溢水センサ５４がオンになる。本実施例の食器洗浄機１０の制御装置（図示しない）は、溢水センサ５４がオンになる場合、エラー報知処理、運転停止処理等、適切な運転を実行することができる。
【００２７】
また、水受け部５０の側壁には、排水孔５６が形成されている。排水孔５６は、溢水センサ５４より高い位置に形成されている。上記の通り、洗浄槽２０が溢水状態になる場合、連通孔５２から水受け部５０内に洗浄水が供給される。水受け部５０内に供給された洗浄水の水位が排水孔５６の位置にまで達すると、水受け部５０内の洗浄水は、排水孔５６から水受け部５０外に排出される。従って、仮に、水受け部５０内に洗浄水が収容された場合であっても、排水孔５６の位置からのみ洗浄水が排出される。即ち、洗浄水が本体１２内に漏れる経路が予め定められているため、本体１２内の他の部材への影響を最小限に留め得る。
【００２８】
さらに、図１に示すように、本実施例では、本体１２の底部であって、排水孔５６の真下の位置には、漏水センサ６０が設けられている。そのため、排水孔５６から漏れ出た洗浄水は、真下に設けられている漏水センサ６０の上に落下する。排水孔５６から排出された洗浄水が漏水センサ６０に触れると、漏水センサ６０がオンになる。食器洗浄機１０の制御装置（図示しない）は、漏水センサ６０がオンになる場合、エラー報知処理、運転停止処理等、適切な運転を実行することができる。上記の通り、本実施例では、水受け部５０内に溢水センサ５４を設け、さらに、排水孔５６から排出された水が落下する位置に漏水センサ６０を設けている。従って、仮に、何らかの要因によって溢水センサ５４がオンしない場合であっても、漏水センサ６０をオンさせることで、食器洗浄機１０の制御装置に適切な運転（エラー報知処理、運転停止処理等）を実行させることができる。
【００２９】
なお、図１〜図３では図示しないが、洗浄槽２０には、吸気経路及び排気経路も設けられている。吸気経路は、洗浄槽２０の外側から内側に達している。吸気経路は、洗浄槽２０の後方壁２８に設けられている。吸気経路には、乾燥ファンが配置されている。排気経路は、洗浄槽２０の内側から外側に達している。排気経路の洗浄槽２０の外側の端は、扉２１の前面に位置している。吸気経路に設けられた乾燥ファンを回転させると、吸気経路から洗浄槽２０内に空気を供給するとともに、洗浄槽２０内の空気を排気経路から洗浄槽２０外に排気することができる。
【００３０】
また、図１〜図３では図示しないが、本実施例の食器洗浄機１０は、制御装置を有している。制御装置は、ポンプ３５、給水電磁弁４４、溢水センサ５４、漏水センサ６０、乾燥ファン（図示しない）等と電気的に接続されており、それらの各要素の動作を制御する。
【００３１】
本実施例の食器洗浄機１０の動作について簡単に説明する。以下に説明する通り、食器洗浄機１０は、洗浄工程、すすぎ工程、乾燥工程を順に実行する。
（１）ユーザは、まず、扉２１を前方へ引き出して、洗浄槽２０内に洗浄対象の食器類を収容し、所定位置に洗剤を投入する。
（２）次いで、ユーザは、扉２１を閉め、洗浄槽２０を本体１２に収容させる。洗浄槽２０を本体１２に収容させると、蓋の昇降機構（図示しない）によって蓋１９が降下して洗浄槽２０の上面開口部を封止する。また、給水ノズル４６の先端は挿通孔３０を通って洗浄槽２０内に挿入される。
（３）次いで、ユーザは所定の運転開始操作を行う。
（４）運転開始操作が行われると、制御装置は、給水電磁弁４４を開き、洗浄槽２０内に配置されている給水ノズル４６の吐出口７２から洗浄槽２０内に洗浄水を供給する。洗浄槽２０内の洗浄水が所定水位に達した場合、給水電磁弁４４を閉じる。
（５）制御装置は、ポンプ３５を作動させ、洗浄ノズル２４の各噴射口２６から洗浄水を噴射させる。洗浄ノズル２４は、一部の噴射口２６から洗浄水を噴射することによって発生する回転モーメントによって回転する。噴射口２６から噴射される洗浄水によって食器が洗浄される（洗浄工程）。なお、この際、噴射口２６から噴射される洗浄水によって、洗浄槽２０内の所定位置に配置された洗剤が溶かされる。溶かされた洗剤は洗浄水と混合され、噴射口２６から噴射される。これにより食器が洗浄される。
（６）所定時間洗浄を行うと、制御装置は、ポンプ３５を停止させる。その後、制御装置は、ポンプ３５を逆方向に回転させて、洗浄槽２０内の洗浄水を一度排水する。排水が完了した後、制御装置は、再度洗浄槽２０内に洗浄水を供給する。
（７）その後、制御装置は、再びポンプ３５を作動させ、洗浄ノズル２４の各噴射口２６から洗浄水を噴射させる。噴射口２６から噴射される洗浄水によって食器に付着した洗剤が洗い流される（すすぎ工程）。
（８）所定時間すすぎを行うと、制御装置は、ポンプ３５を停止させる。その後、制御装置は、ポンプ３５を逆方向に回転させて、洗浄槽２０内の洗浄水を一度排水する。排水が完了すると、制御装置は、乾燥ファンを作動させ、洗浄槽２０内に供給される空気によって食器を乾燥させる（乾燥工程）。
（９）所定時間乾燥を行うと、制御装置は、乾燥ファンを停止させる。以上の各処理を終えると、食器洗浄機１０の運転が終了する。
【００３２】
以上、本実施例の食器洗浄機１０の構成及び動作について説明した。上記の通り、本実施例の食器洗浄機１０では、図１及び図３に示すように、洗浄槽２０を本体１２に収容した際に、吐出口７２を有する給水ノズル４６の先端部分が、挿通孔３０から洗浄槽２０内に挿入される。吐出口７２は、洗浄槽２０の内部空間に露出する。即ち、洗浄槽２０の外側に、給水時に水圧がかかる連結部分が存在しない。そのため、洗浄槽２０内に洗浄水を供給する場合に、洗浄槽２０外への漏水の発生を抑制することができる。
【００３３】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００３４】
（変形例１）  上記の実施例では、水受け部５０は、洗浄槽２０の後方壁２８の外側に固定されている（図３参照）。これに限られず、水受け部５０は、本体１２内部に固定されていてもよい。その場合も、洗浄槽２０を本体１２に収容した際に、洗浄槽２０の後方壁２８の外側であって、挿通孔３０の下方の位置に配置されればよい。
【００３５】
（変形例２）  上記の実施例では、洗浄槽２０を本体１２内に収容した際、給水ノズル４６の先端は洗浄槽２０内に完全に挿入される（図３参照）。これに限られず、洗浄槽２０を本体１２内に収容した際、給水ノズル４６の先端は、洗浄槽２０の後方壁２８の外側より内部に入り込んでいればよい。この場合も、「給水ノズルが挿通孔から洗浄槽内に挿入される」の一例である。
【００３６】
（変形例３）  上記の実施例では、給水ノズル４６の先端には、吐出口７２から洗浄水を下向きに吐出するための壁部７４が備えられている。これには限られず、給水ノズル４６の先端に壁部を設けず、長手方向先端部を開口した給水ノズル４６を用いてもよい。その場合、洗浄槽２０内に、給水ノズル４６の先端の開口部から吐出された洗浄水の向きを下方に向けるための流路変更部材を設けておいてもよい。
【符号の説明】
【００３７】
１０：食器洗浄機
１２：本体
１２ａ：後方壁（本体）
１４：開口部
１６：内部空間
１８：スライド機構
１９：蓋
２０：洗浄槽
２１：扉
２２：吸込凹部
２４：洗浄ノズル
２５：食器かご
２６：噴射口
２８：後方壁（洗浄槽）
３０：挿通孔
３２：残菜フィルタ
３３：吸込流路
３４：インペラ
３５：ポンプ
３６：排水管
３７：ヒータ
４０：給水機構
４２：給水管
４４：給水電磁弁
４６：給水ノズル
５０：水受け部
５２：連通孔
５４：溢水センサ
５６：排水孔
６０：漏水センサ
７０：流路
７２：吐出口
７４：壁部
７６：パッキン
【図１】
2014133013.tif 000003
【図２】
2014133013.tif 000004
【図３】
2014133013.tif 000005